(57)【要約】【課題】天板のコーナー部の下方に配設される１対の補強杆の交差角度を、天板のコーナー部の角度に合わせて、簡単かつ正確に定めることができるとともに、組立て及び分解が容易なテーブルにおける天板の補強構造を提供する。【解決手段】天板１のコーナー部Ａを挟む２辺１ａ，１ｂと平行をなすようにして、天板１のコーナー部Ａの下面に固着される１対の補強杆２，３の各コーナー部Ａ側の端部に、上下に重なる連結部７，８を設け、両連結部７，８の対向面のいずれか一方に円形の突部９を、また他方に、突部９が回転自在に嵌合される円形の凹部１０を設け、さらに、両連結部７，８間に、両補強杆２，３が予め定めた複数の交差角度をなすとき、突部９と凹部１０との嵌合を可能とし、それ以外は嵌合不能とする交差角度規制手段１１，１２を設ける。【選択図】　　　　図３
2004135820.tif 000002
【特許請求の範囲】
【請求項１】
天板のコーナー部を挟む２辺と平行をなすようにして、天板のコーナー部の下面に固着される１対の補強杆の各コーナー部側の端部に、上下に重なる連結部を設け、両連結部の対向面のいずれか一方に円形の突部を、また他方に、前記突部が回転自在に嵌合される円形の凹部を設け、さらに、両連結部間に、両補強杆が予め定めた複数の交差角度をなすとき、前記突部と凹部との嵌合を可能とし、それ以外は嵌合不能とする交差角度規制手段を設けたことを特徴とするテーブルにおける天板の補強構造。
【請求項２】
交差角度規制手段が、両連結部の対向部のいずれか一方に設けた少なくとも１個の突起と、両補強杆が予め定めた複数の交差角度をなすとき、前記突起が嵌合しるうように他方に設けられた複数の凹部とからなる請求項１記載のテーブルにおける天板の補強構造。
【請求項３】
両連結部の中央に通孔を設け、この通孔を通して、両連結部を締付手段により締着しうるようにした請求項１または２記載のテーブルにおける天板の補強構造。
【請求項４】
下方の連結部の下面に設けた脚の上端部と、両連結部とを、両連結部を貫通するボルトをもって互いに締着した請求項１〜３のいずれかに記載のテーブルにおける天板の補強構造。
【請求項５】
下方の連結部と脚の上端との対向面のいずれか一方に突部を、また他方に、前記突部が嵌合する凹部を設けた請求項４記載のテーブルにおける天板の補強構造。
【請求項６】
下方の連結部の下面に脚の上端を当接させたとき、突部の先端と凹部の底面との間に間隙が形成されるようにした請求項５記載のテーブルにおける天板の補強構造。
【請求項７】
天板における複数のコーナー部のそれぞれの下面に、請求項１〜６のいずれかに記載の補強構造を設け、かつ互いに隣接する１対のコーナー部の対向する補強杆の端部同士を、連結杆をもって連結したことを特徴とするテーブルにおける天板の補強構造。
【請求項８】
連結杆と補強杆との対向端部のいずれか一方に、突部を、また他方に、前記突部が嵌合される凹部を設けた請求項７記載のテーブルにおける天板の補強構造。
【発明の詳細な説明】
【０００１】
【発明の属する技術分野】
本発明は、テーブルにおける天板の補強構造、特に９０°以外のコーナー部を有する天板の補強に適した補強構造に関する。
【０００２】
【従来の技術】
従来のこの種のものとしては、天板の各辺と平行に配設した支持枠体の端末にコーナージョイントを連結し、各コーナージョイントの端末に設けた輪状体を、天板のコーナー部の下方において上下に重ね、脚の上部に挿着したジョイント軸を、下方の輪状体を挿通させて、上方の輪状体に螺締するようにしたものがある（例えば特許文献１参照）。
【０００３】
【特許文献１】
特公平７−１１１２０５号（第１〜３頁、図１）。
【０００４】
【発明が解決しようとする課題】
上述のような従来のものにおいては、１対のコーナージョイントが、ジョイント軸を中心として、互いに自由に相対回動しうるので、互いの交差角度を所望のものに正確に定めにくく、特に、ジョイント軸の締め付け時に、上記交差角度が狂い易いという問題がある。
【０００５】
本発明は、従来の技術が有する上記のような問題点に鑑み、天板のコーナー部の下方に配設される１対の補強杆の交差角度を、天板のコーナー部の角度に合わせて、簡単かつ正確に定めることができるとともに、組立て及び分解が容易なテーブルにおける天板の補強構造を提供することを目的としている。
【０００６】
【課題を解決するための手段】
本発明によると、上記課題は次のようにして解決される。
（１）　天板のコーナー部を挟む２辺と平行をなすようにして、天板のコーナー部の下面に固着される１対の補強杆の各コーナー部側の端部に、上下に重なる連結部を設け、両連結部の対向面のいずれか一方に円形の突部を、また他方に、前記突部が回転自在に嵌合される円形の凹部を設け、さらに、両連結部間に、両補強杆が予め定めた複数の交差角度をなすとき、前記突部と凹部との嵌合を可能とし、それ以外は嵌合不能とする交差角度規制手段を設ける。
【０００７】
（２）　上記（１）項において、交差角度規制手段が、両連結部の対向部のいずれか一方に設けた少なくとも１個の突起と、両補強杆が予め定めた複数の交差角度をなすとき、前記突起が嵌合しるうように他方に設けられた複数の凹部とからなるものとする。
【０００８】
（３）　上記（１）または（２）項において、両連結部の中央に通孔を設け、この通孔を通して、両連結部を締付手段により締着しうるようにする。
【０００９】
（４）　上記（１）〜（３）項のいずれかにおいて、下方の連結部の下面に設けた脚の上端部と、両連結部とを、両連結部を貫通するボルトをもって互いに締着する。
【００１０】
（５）　上記（４）項において、下方の連結部と脚の上端との対向面のいずれか一方に突部を、また他方に、前記突部が嵌合する凹部を設ける。
【００１１】
（６）　上記（５）項において、下方の連結部の下面に脚の上端を当接させたとき、突部の先端と凹部の底面との間に間隙が形成されるようにする。
【００１２】
（７）　天板における複数のコーナー部のそれぞれの下面に、上記（１）〜（６）項のいずれかに記載の補強構造を設け、かつ互いに隣接する１対のコーナー部の対向する補強杆の端部同士を、連結杆をもって連結する。
【００１３】
（８）　上記（７）項において、連結杆と補強杆との対向端部のいずれか一方に、突部を、また他方に、前記突部が嵌合される凹部を設ける。
【００１４】
【発明の実施の形態】
図１〜図６は、本発明の一実施形態を備えるテーブルを示す。
このテーブルは、前縁が波形をなすほぼ方形の天板（１）を備えている。
天板（１）の後両側部のコーナー部（Ａ）（Ｂ）の下面には、天板（１）の後辺（１ａ）と平行をなす補強杆（２）と、天板（１）の各側辺（１ｂ）と平行をなす補強杆（３）とが、この例では９０°の交差角度をもって交差するようにして固着されている。
【００１５】
各補強杆（２）（３）は、角柱または角管状の本体部（４）の両側方に翼状をなして張り出す取付片（５）（５）が連設され、この取付片（５）を天板（１）の下面に当接して、ねじ（６）止めすることにより、天板（１）に固着されている。
【００１６】
各補強杆（２）（３）の本体部（４）（４）における各コーナー部（Ａ）（Ｂ）側の端部には、互いに上下に重なる筒状の連結部（７）（８）が設けられ、両連結部（７）（８）の対向面のいずれか一方（この例では上方の連結部（７）の下面）には円形の突部（９）が、また他方の対向面（この例では下方の連結部（８）の上面）には、上記突部（９）が回転自在に嵌合される円形の凹部（１０）が設けられている。
【００１７】
突部（９）の下端面と、それに対向する凹部（１０）の底面とのいずれか一方（この例では凹部（１０）の底面）の偏心部には、ピン状の突起（１１）が、また他方（この例では突部（９）の下端面）には、両補強杆（２）（３）が予め定めた複数の交差角度（この例では、９０°、１２０°、及び１３０°）をなすときのみに、上記突起（１１）が嵌合しうるようにした複数の凹部（１２）が設けられている。
突起（１１）の数は、複数とすることもある。
【００１８】
下側の連結部（８）の下方には、脚（１３）が配設されており、この脚（１３）の上端と連結部（８）の下端との対向面のいずれか一方（この例では連結部（８）の下面）には、円形の突部（１４）が、また他方（この例では脚（１３）の上端面）には、突部（１４）が嵌合する凹部（１５）が設けられている。
【００１９】
脚（１３）の凹部（１５）の底面中央には、ねじ孔（１６）が設けられており、このねじ孔（１６）に、両連結部（７）（８）の中央に設けられた通孔（１７）を貫通する有頭ボルト（締付手段）（１８）の下端部を螺締することにより、両連結部（７）（８）と脚（１３）の上端部とが共締めされている。
【００２０】
脚（１３）の凹部（１５）の深さは、下方の連結部（８）の下向きの突部（１４）の長さより深く形成してあり、これによって、有頭ボルト（１８）により、脚（１３）と下方の連結部（８）とを強く締着することができるようにしている。
【００２１】
また、下方の連結部（８）の凹部（１０）と上方の連結部（７）の突部（９）との関係も、上記と同様とするのが好ましい。
【００２２】
天板（１）の前両側部のコーナー部（Ｃ）（Ｄ）の下面には、天板（１）の両側辺（１ｂ）と平行をなすようにした、上記と同一の補強杆（２）と、天板（１）の前辺（１ｃ）、すなわち前縁とほぼ平行をなすようにした、上記補強杆（２）（３）より短寸の補強部材（１９）とが、この例では９０°の交差角度をもって交差するようにして固着されている。
【００２３】
補強部材（１９）は、上記補強杆（２）（３）における本体部（４）に相当する本体部（２０）を著しく短くしてあり、その両側方に翼状をなす短寸の取付片（２１）（２１）が連設されている。この取付片（５）（５）を天板（１）の下面に当接して、ねじ（６）止めすることにより、補強部材（１９）は天板（１）に固着されている。
【００２４】
本体部（２０）の各コーナー部（Ｃ）（Ｄ）側の端部には、上記補強杆（２）の連結部（７）の下方に重合する筒状の連結部（２２）が設けられ、この連結部（２２）には、補強杆（３）の連結部（８）における凹部（１０）、突起（１１）、突部（１４）、及び通孔（１７）と同一の凹部（図示略）、突起（図示略）、突部（２３）、及び通孔（２４）が設けられている。
【００２５】
補強部材（１９）は、後方のコーナー部（Ａ）（Ｂ）における補強杆（３）と同様にして、補強杆（２）及び上記と同一の脚（１３）に、有頭ボルト（締付手段）（１８）をもって共締めされている。
【００２６】
補強部材（１９）の本体部（２０）における連結部（２２）が設けられていない方の端部には、上向き傾斜面（２５）が形成されており、ここには、ゴム等の緩衝材（２６）が固着されている。
【００２７】
各補強杆（２）（３）の本体部（４）における連結部（７）（８）が設けられていない方の端部には、本体部（４）より若干小寸とした角管状の差し込み部（２７）が設けられ、これらに、天板（１）の後辺（１ａ）と平行とした角管状の連結杆（２８）、及び側辺（１ｂ）と平行とした角管状の連結杆（２９）の各端部を外嵌することにより、コーナー部（Ａ）（Ｂ）間、（Ａ）（Ｃ）間、及び（Ｂ）（Ｄ）間の補強杆（２）（２）同士、及び補強杆（３）（２）同士が互いに連結され、全体として前方が開口する平面視前向きコ字状の補強枠（３０）が形成されている。
【００２８】
組立てにあたっては、天板（１）を上下反転させて作業台等に載置しておき、天板（１）の各コーナー部（Ａ）〜（Ｄ）用に、２個の補強杆（２）（３）と脚（１３）、または補強杆（２）と補強部材（１９）と脚（１３）を、所望の交差角度をなすようにして、有頭ボルト（１８）により締着したものを上下反転させて、上記天板（１）のコーナー部（Ａ）〜（Ｄ）上に載置し、その状態で、対向する補強杆（２）（２）の差し込み部（２７）（２７）及び補強杆（２）（３）の差し込み部（２７）（２７）に、連結杆（２８）（２９）（２９）の各端部を外嵌し、その後、最終的な位置決めをした上で、各補強杆（２）（３）及び補強部材（１９）を、ねじ（６）により天板（１）に固着すればよい。
【００２９】
図１〜図６に示す例は、平面視ほぼ直方形の天板（１）に本発明を適用した場合のものであるが、各コーナー部における２個の補強杆（２）（３）の交差角度を、上述した１２０°または１３５°に変更することにより、例えば図７に示すように、後部中央に１２０°の角度のコーナー部（Ｅ）を備える平面視ほぼ五角形の天板（３１）や、図８に示すように、後部中央に１３５°の角度のコーナー部（Ｆ）を備える平面視ほぼ五角形の天板（３２）等に本発明を適用することもできる。
【００３０】
また、上述の例では、突起（１１）と複数の凹部（１２）とにより、１対の補強杆（２）（３）の交差角度規制手段を形成しているが、凹部（１０）の内側面と突部（９）の外周面とのいずれか一方に突起またはピンを設け、また他方に、上記突起等が嵌合する複数の凹溝を設け、これらによって交差角度規制手段を形成することもできる。
【００３１】
【発明の効果】
請求項１記載の発明によると、１対の補強杆は、組み付け時に、交差角度規制手段により、予め定めた複数の交差角度に組み付けが制限されるので、天板のコーナー部の角度に対応する所望の角度に簡単かつ正確に組み付けることができるとともに、それらの締着時や天板への固着時等に、上記交差角度が狂うことがない。
また、組立て及び分解が容易である。
【００３２】
請求項２記載の発明によると、交差角度規制手段の構造を簡素化し、容易かつ安価に製造することができる。
【００３３】
請求項３記載の発明によると、１対の補強杆の相互の交差角度を所望の値に固定した状態で、それらを天板に固着することができ、その固着時に上記交差角度が狂うことがない。
【００３４】
請求項４記載の発明によると、１対の補強杆と脚とを、１本のボルトにより締着することができるので、部品点数を削減し、製造コストを低減することができる。
【００３５】
請求項５記載の発明によると、脚と補強杆の連結部との位置決め及び芯合せを容易に行うことができる。
【００３６】
請求項６記載の発明によると、突部の先端と凹部の底面との間に間隙を形成したことにより、両連結部材を、締付手段により強く締付けることができる。
【００３７】
請求項７記載の発明によると、天板における各コーナー部に設けた補強杆と、それらを連結する連結杆とにより、連続する補強枠を形成し、天板を強固に補強することができる。
【００３８】
請求項８記載の発明によると、連結杆の補強杆への位置決めや連結作業が容易になる。
【図面の簡単な説明】
【図１】本発明の一実施形態を備えるテーブルの底面図である。
【図２】同じく、天板の後部のコーナー部を内下方より見た斜視図である。
【図３】同じく、外下方より見た分解斜視図である。
【図４】同じく、図１のＩＶ−ＩＶ線に沿う拡大縦断側面図である。
【図５】同じく、天板の前部のコーナー部を内下方から見た斜視図である。
【図６】同じく、分解斜視図である。
【図７】本発明を、形状の異なる天板に適用したときのテーブルの底面図である。
【図８】本発明を、さらに別の形状の天板に適用したときのテーブルの底面図である。
【符号の説明】
（１）天板
（１ａ）後辺
（１ｂ）側辺
（１ｃ）前辺
（２）（３）補強杆
（４）本体部
（５）取付片
（６）ねじ
（７）（８）連結部
（９）突部
（１０）凹部
（１１）突起
（１２）凹部
（１３）脚
（１４）突部
（１５）凹部
（１６）ねじ孔
（１７）通孔
（１８）有頭ボルト（締付手段）
（１９）補強部材
（２０）本体部
（２１）取付片
（２２）連結部
（２３）突部
（２４）通孔
（２５）上向き傾斜面
（２６）緩衝材
（２７）差し込み部
（２８）（２９）連結杆
（３０）補強枠
（３１）（３２）天板
（Ａ）（Ｂ）（Ｃ）（Ｄ）（Ｅ）（Ｆ）コーナー部
【図１】
2004135820.tif 000003
【図２】
2004135820.tif 000004
【図３】
2004135820.tif 000005
【図４】
2004135820.tif 000006
【図５】
2004135820.tif 000007
【図６】
2004135820.tif 000008
【図７】
2004135820.tif 000009
【図８】
2004135820.tif 000010